(57)【要約】      （修正有）【課題】床面開口部及び階段部で使用可能な支柱取付金物を提供する。【解決手段】支柱を保持する円筒状の支柱保持部材と、支柱保持部材と係合可能に設けられ、板材を挟持する挟持部材と、支柱保持部材の軸線に対して直交する軸周りに対して調整角が鋭角となるように、支柱保持部材と挟持部材とを相対回転可能に係合させた状態で係合保持する固定手段と、を有している。支柱保持部材の軸線に対して直交する軸周りに対して調整角が鋭角となるように、当該支柱保持部材と挟持部材とが相対回転する。【選択図】図１
0003161900.tif 000002
【実用新案登録請求の範囲】
【請求項１】
支柱を保持する円筒状の支柱保持部材と、
前記支柱保持部材と係合可能に設けられ、板材を挟持する挟持部材と、
前記支柱保持部材の軸線に対して直交する軸周りに対して調整角が鋭角となるように、当該支柱保持部材と前記挟持部材とを相対回転可能に係合させた状態で係合保持する固定手段と、
を有する支柱取付金物。
【請求項２】
前記固定手段が、
前記支柱保持部材に設けられ、保持される支柱の軸線に対して直交する方向に突出する係合部と、
前記挟持部材に設けられ、前記係合部が係合し前記挟持部材と前記支柱保持部材とを相対回転可能に保持する被係合部と、
前記係合部を貫通し、前記挟持部材と前記支柱保持部材とを相対回転方向に沿って所定のピッチで形成された複数の貫通孔と、
前記挟持部材に設けられ、当該貫通孔と共に締結具が挿通可能な挿通孔と、
を有する請求項１に記載の支柱取付金物。
【考案の詳細な説明】
【技術分野】
【０００１】
本考案は、建築現場に用いられる支柱取付金物に関する。
【背景技術】
【０００２】
建築現場の転落防止対策として、床面開口部や階段部には、仮設手摺りを取付ける必要があり、仮設手摺り用の支柱を支持するために、いわゆる支柱取付金物が用いられる。しかし、床面開口部と階段部とではその固定部に対する支柱の角度が異なるため、床面開口部用と階段部用とで個々に支柱取付金物が存在する。このため、当該支柱取付金物の管理が煩雑になってしまう。
【考案の概要】
【考案が解決しようとする課題】
【０００３】
本考案は上記事実を考慮し、床面開口部及び階段部の手摺り用として使用可能な支柱取付金物を得ることが目的である。
【課題を解決するための手段】
【０００４】
請求項１に記載の考案に係る支柱取付金物は、支柱を保持する円筒状の支柱保持部材と、前記支柱保持部材と係合可能に設けられ、板材を挟持する挟持部材と、前記支柱保持部材の軸線に対して直交する軸周りに対して調整角が鋭角となるように、当該支柱保持部材と前記挟持部材とを相対回転可能に係合させた状態で係合保持する固定手段と、を有している。
【０００５】
請求項１に記載の考案に係る支柱取付金物では、支柱を保持する円筒状の支柱保持部材と板材を挟持する挟持部材とを備えており、これらは互いに係合可能とされている。そして、固定手段によって、支柱保持部材の軸線に対して直交する軸周りに対して調整角が鋭角となるように、当該支柱保持部材と挟持部材とを相対回転可能に係合させた状態で係合保持される。
【０００６】
例えば、仮設手摺り用の支柱等を支持するために用いられる支柱取付金物は、床面開口部と階段部とで、板材を挟持する挟持部材に対する支柱の角度が異なる。床面開口部に用いられる支柱取付金物では、支柱保持部材で支持される支柱と挟持部材で挟持される板材とは、直交した状態で配置される。一方、階段部に用いられる支柱取付金物では、支柱保持部材で支持される支柱と挟持部材で挟持される板材とは、階段の傾斜角度に合わせて例えば４５度以下の角度を成している。
【０００７】
本考案では、支柱保持部材の軸線に対して直交する軸周りに対して調整角が鋭角となるように、当該支柱保持部材と挟持部材とが相対回転するため、１つの支柱取付金物で床面開口部及び階段部の仮設手摺り用として使用することができる。これにより、複数の支柱取付金物を用いる必要がなくなり、支柱取付金物の管理を簡略化することができる。
【０００８】
請求項２に記載の考案に係る支柱取付金物は、請求項１に記載の考案に係る支柱取付金物において、前記固定手段が、前記支柱保持部材に設けられ、保持される支柱の軸線に対して直交する方向に突出する係合部と、前記挟持部材に設けられ、前記係合部が係合し前記挟持部材と前記支柱保持部材とを相対回転可能に保持する被係合部と、前記係合部を貫通し、前記挟持部材と前記支柱保持部材とを相対回転方向に沿って所定のピッチで形成された複数の貫通孔と、前記挟持部材に設けられ、当該貫通孔と共に締結具が挿通可能な挿通孔と、を有している。
【０００９】
請求項２に記載の考案に係る支柱取付金物では、固定手段が、支柱保持部材に設けられた係合部を備えている。この係合部は、保持される支柱の軸線に対して直交する方向に突出しており、挟持部材に設けられた被係合部と係合し、当該被係合部によって、挟持部材と支柱保持部材とを相対回転可能に保持される。
【００１０】
また係合部には、挟持部材と支柱保持部材とを相対回転方向に沿って所定のピッチで複数の貫通孔が形成されており、挟持部材には、当該貫通孔と共に締結具が挿通可能な挿通孔が設けられている。支柱保持部材の係合部に設けられた貫通孔と挟持部材に設けられた挿通孔の位置によって、支柱保持部材と挟持部材との調整角が決定する。そして、貫通孔と挿通孔とを位置合わせした状態で、締結具が締結される。
【考案の効果】
【００１１】
以上説明したように、請求項１に記載の本考案に係る支柱取付金物によれば、床面開口部及び階段部の手摺り用として使用することができるという優れた効果を有する。
【００１２】
請求項２に記載の本考案に係る支柱取付金物によれば、簡単な構成で実現可能という優れた効果を有する。
【図面の簡単な説明】
【００１３】
【図１】本実施の形態に係る支柱取付金物の構成を示す分解斜視図である。
【図２】本実施の形態に係る支柱取付金物の作用を説明するための斜視図である。
【図３】本実施の形態に係る支柱取付金物の作用を説明するための断面である。
【図４】本実施の形態に係る支柱取付金物を床面開口部に取付けた状態を示す側面図である。
【図５】本実施の形態に係る支柱取付金物を階段部に取付けた状態を示す側面図である。
【考案を実施するための形態】
【００１４】
以下、本考案の実施形態に係る支柱取付金物について説明する。
（支柱取付金物の構成）
【００１５】
図１に示されるように、支柱取付金物１０は、円筒状の支柱保持部材１２と、略箱状の挟持部材１４と、を含んで構成されており、互いに係合して固定可能とされている。
【００１６】
支柱保持部材１２には円筒状又は円柱状の支柱２８が挿通可能とされており、支柱保持部材１２の外周面には、円筒状のボス（係合部）１６が突設されている。このボス１６には、複数の一対の貫通孔１８、２０が形成されている。なお、ここでは、一例として、貫通孔１８、２０を２組設け、貫通孔１８と貫通孔２０とはボス１６の周方向に沿って約４５度ずれている。
【００１７】
また、図３に示されるように、ボス１６の反対側には、支柱保持部材１２の外周面に締結孔２２が貫通している。この締結孔２２にはボルト２４が挿通可能としており、ナット２６を介してねじ込まれたボルト２４の先端部が支柱２８の外周面に圧接され、当該支柱２８が支柱保持部材１２に固定される。なお、図示はしないが、支柱２８には当該ボルト２４が挿通可能な挿通孔又はボルト２４がねじ込み可能なネジ孔が設けられていても良い。
【００１８】
一方、図１に示されるように、挟持部材１４は、略三角形状に形成された一対の側壁３０、３２と、側壁３０と側壁３２の頂部同士を架け渡す係合壁３４と、側壁３０、３２及び係合壁３４で囲まれた空間内に側壁３０、３２及び係合壁３４と略直交して配置され、側壁３０、３２及び係合壁３４を架け渡す一対の挟持壁３６、３８と、を含んで構成されている。
【００１９】
挟持壁３６及び挟持壁３８の中央部には、互いに対面してそれぞれ丸板４０、４２が設けられており、図２及び図３に示されるように、当該丸板４０、４２間に支柱取付金物１０を取付ける溝形鋼４４のフランジ４４Ａ（板材）が挟持可能とされる。
【００２０】
このため、側壁３０、３２には、丸板４０、４２間に相当する位置に、挟持壁３６及び挟持壁３８と平行に長孔状の切欠き部４６が形成されている。この切欠き部４６内に溝形鋼４４のフランジ４４Ａが挿入可能とされ、切欠き部４６内に溝形鋼４４のフランジ４４Ａが挿入された状態で、当該溝形鋼４４のフランジ４４Ａが丸板４０と丸板４２の間に配置される。
【００２１】
一方、丸板４０には、挟持壁３６に形成された挿通孔４８を挿通したボルト５０が連結可能とされており、ナット５２を介してボルト５０がねじ込まれることによって、丸板４０が丸板４２へ近接する。これによって、丸板４０と丸板４２の間に配置された溝形鋼４４のフランジ４４Ａが挟持されることとなる。
【００２２】
また、図１に示されるように、係合壁３４には、支柱保持部材１２に突設されたボス１６が係合可能な係合孔（被係合部）５４が形成されている。一方、側壁３０、３２には互いに対向する位置に挿通孔５６、５８がそれぞれ設けられておりボルト６０が挿通可能とされている。
【００２３】
支柱保持部材１２のボス１６が係合壁３４の係合孔５４に挿入された状態で、当該ボス１６は側壁３０と側壁３２の間に配置される。そして、ボス１６に設けられた貫通孔１８（又は貫通孔２０）の位置に、側壁３０、３２の挿通孔５６、５８の位置を合わせることで、側壁３０の挿通孔５６、ボス１６の貫通孔１８（又は貫通孔２０）、側壁３２の挿通孔５８の位置が同一直線上に並ぶこととなり、ボルト６０が挿通可能とされる。そして、ナット６２を介してボルト６０がねじ込まれ、挟持部材１４に対して支柱保持部材１２が固定される。
【００２４】
なお、ここでは、貫通孔１８（又は貫通孔２０）の位置に、側壁３０、３２の挿通孔５６、５８の位置を合わせたが、支柱保持部材１２と挟持部材１４とは相対回転可能であるため、挿通孔５６、５８の位置に貫通孔１８（又は貫通孔２０）の位置を合わせても良い。
【００２５】
（支柱取付金物の作用・効果）
次に、本実施形態に係る支柱取付金物の作用・効果について説明する。
【００２６】
図１に示されるように、支柱取付金物１０は、支柱保持部材１２と挟持部材１４とを含んで構成されており、支柱保持部材１２の外周面には、ボス１６を突設させ、挟持部材１４の係合壁３４には、ボス１６が挿入可能な係合孔５４を形成している。これにより、支柱保持部材１２の軸線に対して直交する軸周りに、支柱保持部材１２と挟持部材１４とを相対回転可能させることができる。
【００２７】
そして、ボス１６の周壁に、支柱保持部材１２と挟持部材１４との相対回転方向に沿って、所定のピッチで貫通孔１８、２０を形成している。この貫通孔１８（又は貫通孔２０）の位置に挟持部材１４の側壁３０、３２に形成された挿通孔５６、５８の位置を合わせて、挿通孔５６、貫通孔１８（又は貫通孔２０）、挿通孔５８へボルト６０を挿通して締結する。これにより、支柱保持部材１２が挟持部材１４に固定される。
【００２８】
上記によれば、例えば、図４に示されるように、ボス１６の貫通孔２０の位置に側壁３０、３２の挿通孔５６、５８の位置を合わせた場合、挟持部材１４と支柱保持部材１２とは平行に配置されることとなり、挟持部材１４によって挟持された溝形鋼４４のフランジ４４Ａの延設方向に対して支柱保持部材１２の軸線が直交した状態となる。
【００２９】
一方、図５に示されるように、ボス１６の貫通孔１８の位置に側壁３０、３２の挿通孔５６、５８の位置を合わせた場合、挟持部材１４によって挟持された溝形鋼４４のフランジ４４Ａの延設方向に対して支柱保持部材１２の軸線は約４５度傾いた状態となる。つまり、支柱保持部材１２に対して挟持部材１４を傾斜させた状態で配置することができる。
【００３０】
このように、支柱保持部材１２の軸線に対して直交する軸周りに対して挟持部材１４を回転させて、貫通孔１８の位置に側壁３０、３２の挿通孔５６、５８を合わせるか、貫通孔２０の位置に側壁３０、３２の挿通孔５６、５８を合わせるかによって、支柱保持部材１２と挟持部材１４の成す調整角を鋭角の範囲内で変えることができる。
【００３１】
このため、建築現場において、側壁３０、３２の挿通孔５６、５８が対応する、貫通孔１８、２０を変えるだけで、１つの支柱取付金物１０で床面開口部、吹抜け開口や屋根周辺に設けられる手摺り用の支柱２８を保持する（図４参照）ことも、階段部に設けられる手摺り用の支柱２８を保持する（図５参照）こともできる。
【００３２】
つまり、床面開口部の手摺り用と階段部の手摺り用とで複数の支柱取付金物１０を使い分ける必要がないため、管理が簡略化される。また、支柱保持部材１２に対して挟持部材１４を回転させるだけで、当該支柱保持部材１２を床面開口部用の手摺りに用いたり、階段部用の手摺りに用いたりすることができるため、作業性が良い。
【００３３】
一方、ここでは、支柱保持部材１２の軸線に対して直交する軸周りに対して、支柱保持部材１２と挟持部材１４とを相対回転させることができるため、支柱保持部材１２を上下逆に係合させることができる。階段部では左右両側に手摺りを設ける場合があるが、支柱保持部材１２を挟持部材１４に対して上下逆に係合させることで、当該支柱取付金物１０を階段の右側にも左側にも取付け可能となる。
【００３４】
（その他の実施形態）
なお、本実施形態では、支柱保持部材１２に円筒状のボス１６を設けたが、このボス１６は円柱体であっても良いし、四角形を除く多角形（六角形、八角形など）でも良い。また、ここでは、貫通孔１８、２０を２組設けたが、貫通孔２０に対して４５度以下の調整角で３組以上設けても良い。
【００３５】
また、ここでは、支柱保持部材１２にボス１６を設け、挟持部材１４に当該ボス１６が挿通可能な係合孔５４を設けたが、当該係合孔５４の周縁部から側壁３０と側壁３２の間へ向かって立ち上がる（支柱保持部材１２側へ向かって立ち上がっても良い）、図示しない円筒状の保持部を設けて、ボス１６を保持する面積を増やし、挟持部材１４の支柱保持部材１２に対する保持力を増大させるようにしても良い。
【符号の説明】
【００３６】
１０    支柱取付金物
１２    支柱保持部材
１４    挟持部材
１６    ボス（係合部、固定手段）
１８    貫通孔（固定手段）
２０    貫通孔（固定手段）
５４    係合孔（被係合部、固定手段）
５６    挿通孔（固定手段）
５８    挿通孔（固定手段）
【図１】
0003161900.tif 000003
【図２】
0003161900.tif 000004
【図３】
0003161900.tif 000005
【図４】
0003161900.tif 000006
【図５】
0003161900.tif 000007